(57)【要約】【課題】ＣＤやＤＶＤなどの光ディスクのエンドユーザーが簡単な作業でディスクの傷防止策を施すことができるようにする。【解決手段】光ディスクの情報読み取り面におけるクランピング領域から情報記録領域の最内周までの円環領域に、ドーナツ型に裁断された所定厚みのシートの片面に接着剤を塗布してなる傷防止スペーサを貼り付ける【選択図】　　　図１
2004134034.tif 000002
【特許請求の範囲】
【請求項１】
光ディスクの情報読み取り面におけるクランピング領域から情報記録領域の最内周までの円環領域に、ドーナツ型に裁断された所定厚みのシートの片面に接着剤を塗布してなる傷防止スペーサを貼り付けることを特徴とする光ディスク保護方法。
【請求項２】
光ディスクの情報読み取り面におけるクランピング領域から情報記録領域の最内周までの円環領域に、ドーナツ型に裁断された所定厚みのシートの片面に接着剤を塗布してなる傷防止スペーサが貼り付けられたことを特徴とする傷防止スペーサ付き光ディスク。
【請求項３】
請求項１に記載の光ディスク保護方法の実施に使用するものであって、ドーナツ型に裁断された所定厚みのシートの片面に接着剤が塗布されており、その接着剤面が剥離紙で被覆されていることを特徴とする傷防止スペーサ。
【請求項４】
請求項１に記載の光ディスク保護方法の実施に使用する傷防止スペーサ貼付治具であって、つぎの事項（１）〜（４）により特定される。
（１）光ディスクの情報読み取り面を上向きにして中心穴基準で位置決めするためのディスク支え板を備える。
（２）ディスク支え板に光ディスクをセットした状態で、光ディスクの中心穴部分に臨んでいるディスク支え板の中心軸要素を位置基準としてセットされる取り付け押具を備える。
（３）取り付け押具は、前記中心軸要素に着脱自在に嵌合される内筒部材と、この内筒部材の外周にスライド自在に組み合わさっている外筒部材とを備える。
（４）傷防止スペーサは、内筒部材の外周に嵌り込んだ状態で、外筒部材の下面にあてがうように保持され、その接着剤面が光ディスクの情報読み取り面における前記円環領域に位置決めされて対面する。
【請求項５】
請求項４に記載の傷防止スペーサ貼付治具において、内筒部材に対して外筒部材を上方へ押し上げるように作用する弾性手段が内筒部材と外筒部材の関係に組み込まれていることを特徴とする。
【発明の詳細な説明】
【０００１】
【発明の属する技術分野】
この発明は、音楽コンテンツや映像コンテンツあるいはコンピュータプログラムやゲームプログラムなどの記録メディアとして多用されているＣＤやＤＶＤなどの光ディスクに関し、とくに、一般のエンドユーザーの利用場面において光ディスクに擦過傷がつくのを防ぐための技術（光ディスク保護方法、傷防止スペーサ付き光ディスク、傷防止スペーサ、傷防止スペーサ貼付治具）に関する。
【０００２】
【従来の技術】
特開平１０−１０６０４４号公報、特開２０００−２９３９０２号公報、特開２００１−６７７３０号公報などに記載されているように、ＣＤやＤＶＤの製品の中には、ディスクの情報読み取り面におけるクランピング領域から情報記録領域の最内周までの円環領域に円形の微小突起を形成したものがある。ディスク基板をプラスチック成形するときに微小突起を一体的に形成したり、紫外線硬化樹脂によりディスク面に微小突起を付加的に形成する技術が知られている。
【０００３】
光ディスクの大量生産プロセスでは、ディスクを重ねる場面が多く発生する。前記のように円形の微小突起を形成してあるディスクは、重ねてもディスクの情報読み取り面が接触しないので、傷がつかない。既存の光ディスクに見られる微小突起は、もっぱら大量生産プロセスでのディスク重ね工程のことを考えて設計されており、突起の隆起寸法は０．１〜０．２ミリメートルに規格化されている。ディスク生産プロセスでは、機械により静かにディスクが取り扱われるので、この程度の隆起寸法でも傷防止の効果はある。
【０００４】
【発明が解決しようとする課題】
一般のエンドユーザーがＣＤやＤＶＤを利用しているシーンを観察すると、かなり乱暴にディスクを取り扱っていることがわかる。情報読み取り面を下にしてディスクを硬いテーブルの上に放り出すような場面はめずらしくはない。テーブルの上は砂糖粒などで汚れていたりする。テーブル上のディスクを手でつかみ取るときには、テーブルとディスク表面とが擦れる。そのためディスクの情報読み取り面に多くの擦過傷がつく。
【０００５】
前記のように傷防止用の微小突起が形成されているＣＤやＤＶＤであっても、一般のエンドユーザーによる乱暴な取り扱いにより、傷つくことは避けがたい。０．１〜０．２ミリメートルほどの隆起寸法の微小突起では、ディスク生産プロセスでの傷防止効果はあっても、エンドユーザーによる多様な取り扱われ方のもとでは傷防止効果はほとんど期待できない。このことは、たとえば図書館やレンタル店から借りてくるＣＤやＤＶＤの傷ついた表面を見ればすぐにわかる。
この発明の目的は、エンドユーザーの利用場面において、ユーザー自身が実施することのできる光ディスクの傷防止技術を提供することにある。
【０００６】
【課題を解決するための手段】
第１の発明に係る光ディスク保護方法は、光ディスクの情報読み取り面におけるクランピング領域から情報記録領域の最内周までの円環領域に、ドーナツ型に裁断された所定厚みのシートの片面に接着剤を塗布してなる傷防止スペーサを貼り付けることを特徴とするものである。
【０００７】
第２の発明に係る傷防止スペーサ付き光ディスクは、光ディスクの情報読み取り面におけるクランピング領域から情報記録領域の最内周までの円環領域に、ドーナツ型に裁断された所定厚みのシートの片面に接着剤を塗布してなる傷防止スペーサが貼り付けられたことを特徴とするものである。
【０００８】
第３の発明に係る傷防止スペーサは、光ディスク保護方法の発明の実施に使用するものであって、ドーナツ型に裁断された所定厚みのシートの片面に接着剤が塗布されており、その接着剤面が剥離紙で被覆されていることを特徴とするものである。
【０００９】
第４の発明に係る傷防止スペーサ貼付治具は、光ディスク保護方法の発明の実施に使用する傷防止スペーサ貼付治具であって、つぎの事項（１）〜（４）により特定される。
（１）光ディスクの情報読み取り面を上向きにして中心穴基準で位置決めするためのディスク支え板を備える。
（２）ディスク支え板に光ディスクをセットした状態で、光ディスクの中心穴部分に臨んでいるディスク支え板の中心軸要素を位置基準としてセットされる取り付け押具を備える。
（３）取り付け押具は、前記中心軸要素に着脱自在に嵌合される内筒部材と、この内筒部材の外周にスライド自在に組み合わさっている外筒部材とを備える。
（４）傷防止スペーサは、内筒部材の外周に嵌り込んだ状態で、外筒部材の下面にあてがうように保持され、その接着剤面が光ディスクの情報読み取り面における前記円環領域に位置決めされて対面する。
【００１０】
【発明の実施の形態】
図１〜図３には、この発明の一実施例による貼付治具（ディスク支え板３と取り付け押具４）を用いて光ディスク１に傷防止スペーサ２を貼り付けるようすを示している。光ディスク１は規格化されているＣＤやＤＶＤであり、図１での上面が情報読み取り面である。ディスク中心穴の周囲にはクランピング領域が設定されており、その外側で情報記録領域の内側の円環領域に傷防止スペーサ２を貼り付けるのである。
【００１１】
傷防止スペーサ２は、ドーナツ型に裁断された所定厚みのシートの片面に接着剤を塗布したものであり、その接着剤面はあらかじめ剥離紙で被覆されている。なお図示の状態では剥離紙は取り除かれている。傷防止スペーサ２の内径寸法と外径寸法は前述した円環領域に合わせて決められている。傷防止スペーサ２の素材は適当な弾性のある樹脂シートであり、厚み寸法は０．４〜０．６ミリメートルの範囲が適当である。
【００１２】
貼付治具のディスク支え板３は、円板の中心に円形軸部３ａを一体形成したもので、光ディスク１の中心穴を円形軸部３ａに嵌め合わせることで、情報読み取り面を上にして中心穴基準で光ディスク１を位置決めすることができる。
【００１３】
貼付治具の取り付け押具４は、図３に示すように、内筒部材５と外筒部材６とを備えている。両部材とも上端が閉じた円筒形をしており、外筒部材６の中に内筒部材５が同軸状態で嵌り込んでスライド自在に組み合わされている。内筒部材５の天井部分と外筒部材６の天井部分の間にはバネ７が挟み込まれており、外筒部材６に対して内筒部材５が押し出される方向にバネ力が働いている。ただし、図示しないストッパ構造により、内筒部材５はある位置で止まっていて抜け出ない。
【００１４】
内筒部材５の下端縁部は、多数の爪に分割された破断構造リング５ａになっている。破断構造リング５ａの径は弾性的に変化する。ここに、傷防止スペーサ２を嵌め合わせて、傷防止スペーサ２を少しだけ上に変位させる。破断構造リング５ａの自由状態の外径は、そのすぐ上の内筒部材５の本体外径よりごく僅かに大きくなっているので、はめ込んだ傷防止スペーサ２は下向きにしても脱落せず、外筒部材６の下面にあてがわれた状態になる。
【００１５】
内筒部材５の内部中心には、ディスク支え板３の円形軸部３ａと嵌り合う位置決め穴５ｂがある。傷防止スペーサ２を装着した貼付治具を、ディスク支え板３にセットされた光ディスク１の中心穴の上方に位置させ、ディスク中心穴から上方に突出している円形軸部３ａに内筒部材５の位置決め穴５ｂを嵌め合わせる。
【００１６】
この状態で外筒部材６（取り付け押具４）を下に押さえつける。するとバネ７が圧縮され、内筒部材５は円形軸部３ａにつっかえた位置で止まり、外筒部材６はさらに下方に変位し、外筒部材６の下面にセットされている傷防止スペーサ２が光ディスク１の表面に押さえつけられる。
【００１７】
傷防止スペーサ２は接着剤塗布面を下にしてセットしているので、これがディスク表面に接着される。取り付け押具４から手を離すと、バネ７の力で外筒部材６が上昇するが、このときディスク表面に接着した傷防止スペーサ２は破断構造リング５ａから相対的に抜け出て、剥がれることはない。このようにして、光ディスク１の所定の位置に傷防止スペーサ２を正確に貼り付けることができ、しかもその作業はきわめて簡単である。
【００１８】
なお、傷防止スペーサ２の表面にきれいな印刷を施しておいたり、ユーザーが文字などを記入できるようにすれば、付加価値が高まる。また、傷防止スペーサがドーナツ型に連続しておらず、何個かに分断された形態で最終的にディスク面に残存する方式も採り得る。
【００１９】
図４と図５にこの発明の他の実施例の貼付治具を示している。この例では、ＣＤケースやＤＶＤケースとして一般的に使用されているディスクケースがディスク支え板３となる。光ディスク１はディスク支え板３（ケース）のセンターピース３ｂに中心穴基準で位置決めされる。このセンターピース３ｂの上にさらに押さえ蓋３ｃをはめ込んで装着する。この押さえ蓋３ｃが前記実施例における円形軸部３ａに相当する要素となる。その他は前記実施例と同じなので、説明は割愛する。
【００２０】
なお、ＣＤやＤＶＤなどの光ディスクでは、情報記録領域の外側に若干の空白領域があるので、ここに円環状に連続したまたは断続した突起を設ければ、傷防止に効果的である。外周部分の突起としては、ディスクの製造時に形成することもできるし、本発明と同様にエンドユーザーが追加的にスペーサを貼り付けることで形成することもできる。
【００２１】
【発明の効果】
この発明によれば、ＣＤやＤＶＤなどの光ディスクのエンドユーザーが簡単な作業でディスクの傷防止策を施すことができる。
【図面の簡単な説明】
【図１】この発明の第１実施例による貼付治具を用いて光ディスクに傷防止スペーサを貼り付けるようすを示す斜視図である。
【図２】第１実施例の貼付治具における取り付け押具の正面図と底面図である。
【図３】第１実施例の貼付治具の作用を示す断面図である。
【図４】この発明の第２実施例による貼付治具を用いて光ディスクに傷防止スペーサを貼り付けるようすを示す斜視図である。
【図５】第２実施例の貼付治具の作用を示す断面図である。
【符号の説明】
１　光ディスク
２　傷防止スペーサ
３　ディスク支え板
４　取り付け押具
【図１】
2004134034.tif 000003
【図２】
2004134034.tif 000004
【図３】
2004134034.tif 000005
【図４】
2004134034.tif 000006
【図５】
2004134034.tif 000007